(57)【要約】【課題】コンピュータの拡充スロット空間に取り付けられるカートリッジ式光触媒空気清浄機の提供。【解決手段】光触媒と紫外線の作用により、環境空気に対して、除菌、除塵、除臭の作用と機能を有し、且つコンピュータの空間に設置されて有限の空間を占用せずに、コンピュータの放熱も行ない、多用途と多機能のコンピュータ周辺設備とされる。【選択図】　　　　図５
0003097434.tif 000002
【実用新案登録請求の範囲】
【請求項１】
カートリッジ式光触媒空気清浄機において、金属材料で形成されたケーシングを具え、該ケーシングの体積寸法がコンピュータの拡充スロット空間中に組み付け可能なものとされ、該ケーシングの内部に金属材料で形成された中置板が設けられ、該中置板に二つの通風口が設けられ、各通風口の後部にそれぞれ一組のファンが組み付けられ、該中置板の前部に金属材料で形成されたランプホルダが組み付けられ、該ランプホルダに二つの紫外線ランプ３０が組み付けられ、
別に、金属材料で形成された内框が設けられて、該内框にろ過構造が套設されて全体がランプホルダ及び紫外線ランプの外部周囲に組み付けられ、該ケーシングにカバーが組み合わされ、該カバーの前部内面にもろ過構造が設けられ、内框に套設されたろ過構造とカバーの前部内面のろ過構造により紫外線ランプが包囲されたことを特徴とする、カートリッジ式光触媒空気清浄機。
【請求項２】
請求項１に記載のカートリッジ式光触媒空気清浄機において、ろ過構造が外層が活性炭層とされ、その内側に二層のガラス繊維層で中間のプラスチックネット層を挟んだ構造が設けられ、材料の外部がいずれも一層の光触媒で被覆されたことを特徴とする、カートリッジ式光触媒空気清浄機。
【考案の詳細な説明】
【０００１】
【考案の属する技術分野】
本考案は一種のコンピュータの拡充スロット空間に取り付けられるカートリッジ式光触媒空気清浄機に係り、特に、光触媒と紫外線の作用により、環境空気に対して、除菌、除塵、除臭の作用と機能を有し、且つコンピュータの空間に設置されて有限の空間を占用せずに、コンピュータの放熱も行ない、多用途と多機能のコンピュータ周辺設備とされる、カートリッジ式光触媒空気清浄機に関する。
【０００２】
【従来の技術】
周知の空気清浄設備は、ほとんどが独立した機体とされ、その内部に吸風と排風の構造が設けられ、並びにろ過装置により環境空気に対する除塵と除臭を行う。一部の独立式空気清浄設備は、光触媒の構造を使用しているが、その構造は複雑で価格は高く、一般消費者が購入できるものではない。さらにまた一部の業者はコンピュータの拡充スロット空間を利用し、カートリッジ式の空気清浄設備を設計しており、その構造は単純な除塵、除臭を行う活性炭とフィルタネット構造とされ、確実な除菌、ウイルス除去の作用と機能を確実に達成できない。特に、現在ＳＡＲＳのような伝染性の疾病が厳重である状況にあっては、機能が不足している。
【０００３】
【考案が解決しようとする課題】
本考案の主要な目的は、光触媒構造をコンピュータ拡充スロット許容装置のケーシング空間中に設置して、組付け、抜き取りが行えるコンピュータ周辺付加設備となし、光触媒と紫外線照射の構造を利用し、さらにろ過構造も合わせて使用し、コンピュータに結合する空気清浄設備となし、構造が簡単で、価格が低廉で場所を採らない空気清浄設備を提供することにある。
【０００４】
本考案の次の目的は、コンピュータの拡充スロット空間を利用し、カートリッジ式空間形態の空気清浄機をなし、それを少なくとも二種類の体積規格を有するものとして、使用者が環境空間の大きさに合わせて使用できるようにし、並びにコンピュータに対する放熱の作用と機能を提供できるようにすることにある。
【０００５】
前述の目的を達成するため、本考案はコンピュータの拡充スロット空間に設置できる空気清浄設備を提供し、それは光触媒と紫外線の作用により、環境空気に対して、除菌、除塵、除臭とウイルス除去の作用と機能を具え、且つコンピュータの許容する空間に設置され、コンピュータに対する放熱を行う、一種の多用途及び多機能のコンピュータ周辺付加設備とされるものとする。
【０００６】
【課題を解決するための手段】
請求項１の考案は、カートリッジ式光触媒空気清浄機において、金属材料で形成されたケーシングを具え、該ケーシングの体積寸法がコンピュータの拡充スロット空間中に組み付け可能なものとされ、該ケーシングの内部に金属材料で形成された中置板が設けられ、該中置板に二つの通風口が設けられ、各通風口の後部にそれぞれ一組のファンが組み付けられ、該中置板の前部に金属材料で形成されたランプホルダが組み付けられ、該ランプホルダに二つの紫外線ランプ３０が組み付けられ、
別に、金属材料で形成された内框が設けられて、該内框にろ過構造が套設されて全体がランプホルダ及び紫外線ランプの外部周囲に組み付けられ、該ケーシングにカバーが組み合わされ、該カバーの前部内面にもろ過構造が設けられ、内框に套設されたろ過構造とカバーの前部内面のろ過構造により紫外線ランプが包囲されたことを特徴とする、カートリッジ式光触媒空気清浄機としている。
請求項２の考案は、請求項１に記載のカートリッジ式光触媒空気清浄機において、ろ過構造が外層が活性炭層とされ、その内側に二層のガラス繊維層で中間のプラスチックネット層を挟んだ構造が設けられ、材料の外部がいずれも一層の光触媒で被覆されたことを特徴とする、カートリッジ式光触媒空気清浄機としている。
【０００７】
【考案の実施の形態】
図１から図５に示されるように、本考案のカートリッジ式光触媒空気清浄機は、金属材料で形成されたケーシング１１を具え、該ケーシング１１の体積寸法はコンピュータの拡充スロット空間中に組み付けられるものとされる。該ケーシング１１の内部に金属材料で形成された中置板１３が設けられ、該中置板１３に二つの通風口１４が設けられ、並びに各通風口１４の後部にそれぞれ一組のファン２０が組み付けられ、該中置板１３の前部に金属材料で形成されたランプホルダ１５が組み付けられ、該ランプホルダ１５に二つの紫外線ランプ３０が組み付けられている。
【０００８】
別に、金属材料で形成された内框４０が設けられて、該内框４０にろ過構造５０が套設され（図２参照）、並びに全体がランプホルダ１５及び紫外線ランプ３０の外部周囲に組み付けられ（図４、５参照）、該内框４０の作用は紫外線ランプ３０とろ過構造５０の接触を防止することにある。
【０００９】
前述のろ過構造５０は外層が活性炭層５１とされ、その内側に二層のガラス繊維層５３で中間のプラスチックネット層５２を挟んだ構造が設けられ（図３）、材料の外部がいずれも一層の光触媒（則ち二酸化チタン）で被覆されている。
【００１０】
図６は本考案のカバー表示図である。図示されるように、前述のケーシング１１にはカバー１２が組み付けられ、該カバー１２の前部内面にもろ過構造５０’が設けられ、ケーシング１１とカバー１２が組み合わされて固定されて、ろ過構造５０、５０’が紫外線ランプ３０を包囲し、並びに図７に示される外観のカートリッジ式光触媒空気清浄機１０が形成される。
【００１１】
図９は本考案をコンピュータに取り付けた実施状態表示図である。図示されるように、前述の本考案のカートリッジ式光触媒空気清浄機１０は、その体積寸法がコンピュータ６０の拡充スロット６１中に組付けられるものとされ、その体積は二つの拡充空間を占用するものとされるか、或いはその高さが半分に縮減され、且つその内部構造の寸法も縮減されて小さいファンが採用され、コンピュータ６０の一つの拡充スロット空間のみを占用するものとされる（その大きさは図８に示されるようである。）。本考案はコンピュータ６０の拡充スロット６１に取り付けられるカートリッジ式光触媒空気清浄機１０、１０’を提供し、その作用はファン２０を利用して外部の空気を吸入し、並びに光触媒と紫外線の作用により、除菌、除臭、ウイルス排除と除塵の作用と機能を達成することにあり、さらにコンピュータ６０の後部にもともと備わっている排風ファンを利用しきれいな空気を排出し、この空気の循環により、コンピュータ６０に対する放熱の作用と効果も有する。さらに、本考案は二種類の体積寸法を採用し、その目的は、使用者が環境の大きさ（坪数）により組み付け、一つの大きい、或いは小さいものを組み付けるか、一つを大きいものとし、もう一つを小さいものとするか、或いは二つの大きいものを組み付ける方式により、環境空気を清浄とする良好な効果を達成できる。
【００１２】
【考案の効果】
本考案は従来の技術と較べ、進歩性と改良性を有し、且つ現在、ＳＡＲＳが厳重となっている状況にあって、空気伝染の疾病の予防に効果がある。ゆえに本考案は実用性と新規性を具え、実用新案登録の要件を具備している。
【図面の簡単な説明】
【図１】本考案の局部構造表示図である。
【図２】本考案のろ過構造表示図である。
【図３】本考案のろ過構造断面図である。
【図４】本考案のろ過構造組合せ表示図である。
【図５】図４の組成表示図である。
【図６】本考案のカバー表示図である。
【図７】本考案の全体組成を表示する外観図である。
【図８】本考案の別の実施例の外観図である。
【図９】本考案をコンピュータに取り付けた実施表示図である。
【符号の説明】
１０　カートリッジ式光触媒空気清浄機　　　　１１　ケーシング
１２　カバー　　　　　　　　　　　　　　　　１３　中置板
１４　通風口　　　　　　　　　　　　　　　　１５　ランプホルダ
２０　ファン　　　　　　　　　　　　　　　　３０　紫外線ランプ
４０　内框　　　　　　　　　　　　　　　　　５０　ろ過構造
５１　活性炭層　　　　　　　　　　　　　５２　プラスチックネット層
５３　ガラス繊維層
１０’　カートリッジ式光触媒空気清浄機　　　１１’　ケーシング
１２’　カバー　　　　　　　　　　　　　　　５０’　ろ過構造
６０　コンピュータ　　　　　　　　　　　　　６１　拡充スロット
【図１】
0003097434.tif 000003
【図２】
0003097434.tif 000004
【図３】
0003097434.tif 000005
【図４】
0003097434.tif 000006
【図５】
0003097434.tif 000007
【図６】
0003097434.tif 000008
【図７】
0003097434.tif 000009
【図８】
0003097434.tif 000010
【図９】
0003097434.tif 000011